(57)【要約】【課題】表示装置のスタンド装置において、コスト及び加工性を維持しながら、強度を確保し、安全性を高めることを目的とするものである。【解決手段】平板形状のディスプレイ本体１に配設しかつ装着孔１８ａを有するブラケット１８と、このブラケット１８の装着孔１８ａに装着されるポール３を有し前記ディスプレイ本体１を立てた状態で保持するスタンド装置２とを備え、前記ポール３は、中空形状のポール本体３ａに補強シャフト３ｂを挿着して構成した。これにより、コストを押さえつつ加工性を維持しながら、強度を確保し、また万一破損した場合でも、ディスプレイ本体の転倒を防ぐことができる。【選択図】　図３
2004126456.tif 000002
【特許請求の範囲】
【請求項１】
平板形状のディスプレイ本体に配設しかつ装着孔を有するブラケットと、このブラケットの装着孔に装着されるポールを有し前記ディスプレイ本体を立てた状態で保持するスタンド装置とを備え、前記ポールは、中空形状のポール本体に補強シャフトを挿着して構成した表示装置。
【請求項２】
ポールは、アルミダイキャスト製のポール本体に鉄製の補強シャフトをインサート成形して構成した請求項１に記載の表示装置。
【請求項３】
ブラケットの上部位置と下部位置に螺合されかつポールが装着される装着孔に突出する上部固定用ネジ及び下部固定用ネジにより装着孔に装着したポールをブラケットに固定し、かつ補強シャフトをポールの根元部から前記上部固定用ネジと下部固定用ネジの間にかけて配置されるように挿着した請求項１に記載の表示装置。
【発明の詳細な説明】
【０００１】
【発明の属する技術分野】
本発明は、プラズマディスプレイ装置などの大画面で、薄型の表示装置に関するものである。
【０００２】
【従来の技術】
近年、プラズマディスプレイ装置は、視認性に優れた表示パネル（薄型表示デバイス）として注目されており、高精細化及び大画面化が進められている。
【０００３】
このプラズマディスプレイ装置には、大別して、駆動的にはＡＣ型とＤＣ型があり、放電形式では面放電型と対向放電型の２種類があるが、高精細化、大画面化及び製造の簡便性から、現状では、ＡＣ型で面放電型のプラズマディスプレイ装置が主流を占めるようになってきている。
【０００４】
このようなプラズマディスプレイ装置においては、透明な一対のガラス基板を間に放電空間が形成されるように対向配置するとともにガラス基板に電極群を配置したプラズマディスプレイパネル（以下パネルという）と、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている（特許文献１参照）。
【０００５】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として、また家庭で迫力のある映像を楽しむことができる映像機器として脚光を集めている。
【０００６】
一方、このプラズマディスプレイ装置は、大画面を実現しやすいという反面、パネルの主要構成部品であるガラス基板として、大きいガラス基板が必要となり、また複数の放電セルを選択的にプラズマ放電させることにより画像を表示することから、プラズマディスプレイ装置においては、他の表示装置では考慮しなくてもよかった事項について、対策を検討することが要求されている。
【０００７】
【特許文献１】
特許第２８０７６７２号
【０００８】
【発明が解決しようとする課題】
このような大画面を特長とするプラズマディスプレイ装置において、それを設置するために必要なスタンド装置として、コストと加工性を考慮して、アルミダイキャスト製のポールをディスプレイ本体に配置したブラケットに装着する構造のものが考えられている。
【０００９】
このアルミダイキャスト製のポールを使ったスタンド装置では、通常の使用においては、強度は十分確保できているが、繰り返し揺さぶるなどの特殊な使用環境において、スタンドのポール部分に繰り返し応力がかかる条件下においては、金属疲労による破損を生じる可能性がある。このため、スタンド装置のポールの材質を鉄やステンレス等のアルミより強度の高い材質に変えることが考えられるが、コスト、特に加工性においては生産性を下げてしまうという課題を有する。
【００１０】
本発明はこのような課題を解決し、コスト及び加工性を維持しながら、強度を確保し、安全性を高めることを目的とするものである。
【００１１】
【課題を解決するための手段】
上記目的を達成するために本発明の表示装置は、平板形状のディスプレイ本体に配設しかつ装着孔を有するブラケットと、このブラケットの装着孔に装着されるポールを有し前記ディスプレイ本体を立てた状態で保持するスタンド装置とを備え、前記ポールは、中空形状のポール本体に補強シャフトを挿着して構成したものである。
【００１２】
【発明の実施の形態】
すなわち、本発明の請求項１記載の発明は、平板形状のディスプレイ本体に配設しかつ装着孔を有するブラケットと、このブラケットの装着孔に装着されるポールを有し前記ディスプレイ本体を立てた状態で保持するスタンド装置とを備え、前記ポールは、中空形状のポール本体に補強シャフトを挿着して構成したものである。
【００１３】
また、請求項２記載の発明は、請求項１において、ポールは、アルミダイキャスト製のポール本体に鉄製の補強シャフトをインサート成形して構成したものである。
【００１４】
また、請求項３記載の発明は、請求項１において、ブラケットの上部位置と下部位置に螺合されかつポールが装着される装着孔に突出する上部固定用ネジ及び下部固定用ネジにより装着孔に装着したポールをブラケットに固定し、かつ補強シャフトをポールの根元部から前記上部固定用ネジと下部固定用ネジの間にかけて配置されるように挿着したものである。
【００１５】
以下、本発明の一実施の形態によるプラズマディスプレイ装置について、図１〜図７を用いて説明する。
【００１６】
図１に本発明の一実施の形態によるプラズマディスプレイ装置の全体の外観を後ろ側から見た状態を示し、図２に側面から見た状態を示し、図３〜図５にその要部構造を示している。
【００１７】
図において、１は平板形状のディスプレイ本体で、後述するように装着孔を有するブラケットが配設されている。２はディスプレイ本体１のブラケットの装着孔に装着されるポール３を備えたスタンド装置で、前記ディスプレイ本体１を立てた状態で保持する。図４、図５にディスプレイ本体１の一例を示している。
【００１８】
図４、図５に示すように、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００１９】
前記パネル１０は、アルミニウム等からなるシャーシ部材１４の前面に熱伝導シート１５を介して接着することにより保持され、そしてシャーシ部材１４の後面側には、図５に示すように、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板１７によって電気的に接続されている。また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００２０】
また、ディスプレイ本体１のシャーシ部材１４の高さ方向の下端部の位置には、スタンド装置２のポール３が装着される筒形状のブラケット１８がネジ（図示せず）により取り付けられている。
【００２１】
すなわち、図３に示すように、スタンド装置２に取り付けたポール３の先端部をブラケット１８の装着孔１８ａに挿入し、バックカバー１２を貫通してディスプレイ本体１の外側から締付け可能な上部固定用ネジ４、下部固定用ネジ５によりポール３をブラケット１８に固定することにより、ディスプレイ本体１がスタンド装置２に取り付けられ、これによりディスプレイ本体１を立てた状態で保持することができる。
【００２２】
図３に示すように、ポール３は、アルミダイキャスト製のポール本体３ａに鉄製のパイプ状の補強シャフト３ｂをインサート成形することにより挿着して構成したものである。すなわち、ポール３のダイキャスト成形時に、あらかじめ金型に鉄製の補強シャフト３ｂを配置し、インサート成形したもので、成形後にポール３には、二次加工により孔３ｃが設けられている。
【００２３】
上部固定用ネジ４及び下部固定用ネジ５は、ブラケット１８の上部位置と下部位置に設けた固定孔１８ｂに螺合し、かつポール３が装着される装着孔１８ａに先端部が突出するもので、その突出した先端部をブラケット１８の装着孔１８ａに装着したポール３の孔３ｃに係合させることにより、ポール３をブラケット１８に装着した状態で固定している。
【００２４】
また、本実施の形態においては、ポール３の補強シャフト３ｂは、ポール３の根元部から前記上部固定用ネジ４と下部固定用ネジ５の間にかけて配置されるように挿着されている。
【００２５】
この理由について説明すると、上記で説明した構成の表示装置において、繰り返し揺さぶるなどの特殊な使用環境、例えば大きく揺れを伴うような船舶の船室にスタンドを固定し、据え付けられた場合や、子供が容易にぶら下がって遊ぶような場合など、スタンド装置２のポール３に繰り返し応力がかかる条件下において、金属疲労によってポール３が破損する恐れがある。
【００２６】
補強シャフト３ｂがないポール３を用いた場合には、本発明者らの実験によると、図６に示すように、ポール３の根元部分が破損し、スタンド装置２からディスプレイ本体１が分離して転倒してしまう。
【００２７】
一方、本実施の形態のように、ポール３の根元部から前記上部固定用ネジ４と下部固定用ネジ５の間にかけて補強シャフト３ｂが配置されるように挿着することにより、鉄製の補強シャフト３ｂが組込まれたポール３は、繰り返し応力に対して、鉄製の補強シャフト３ｂが配置された位置までは強度が保たれ、図７に示すように、相対的に強度が弱いアルミ部分で破損が生じる。この場合、ポール３とブラケット１８を固定している２本の固定用ネジのうち、下部固定用ネジ５が鉄製の補強シャフト３ｂが配置された位置でポール３を固定しているため、ポール３に破損が生じても、ディスプレイ本体１が転倒してしまうのを免れることになる。
【００２８】
なお、補強シャフト３ｂの挿着位置は、上記の実施の形態のように、上部固定用ネジ４と下部固定用ネジ５の間に限定されるものではなく、例えばブラケット１８を含め、ポール３の長さを長くし、下部固定用ネジ５の位置がポール３の根元部分から離れた位置にある場合には、補強シャフト３ｂの先端が上部固定用ネジ４と下部固定用ネジ５の間に達しない構造であっても、ポール本体３ａより強度の大きい補強シャフト３ｂを挿着したことにより、上述したように繰り返し応力に対して、ポール本体３ａの相対的に強度が弱いアルミ部分で破損が生じ、補強シャフト３ｂが挿着された部分がブラケット１８に装着された状態で残るため、万一ポール３が破損した場合であっても、上記実施の形態に比べると確実性に劣るものの、ディスプレイ本体１が簡単に転倒してしまうことはない。
【００２９】
【発明の効果】
以上の説明から明らかなように、本発明の表示装置によれば、コストを押さえつつ加工性を維持しながら、強度を確保し、また万一破損した場合でも、ディスプレイ本体の転倒を防ぐことができるという効果が得られる。
【図面の簡単な説明】
【図１】本発明の一実施の形態によるプラズマディスプレイ装置を後方から見た斜視図
【図２】同じく側面から見た平面図
【図３】図２のＡ部を拡大して示す断面図
【図４】同装置のディスプレイ本体の一例を示す分解斜視図
【図５】同ディスプレイ本体の内部の配置構造を示す平面図
【図６】同プラズマディスプレイ装置において、スタンド装置のポールに補強シャフトがない場合の破損位置を示す断面図
【図７】本発明におけるスタンド装置のポールの破損位置を示す断面図
【符号の説明】
１　ディスプレイ本体
２　スタンド装置
３　ポール
３ａ　ポール本体
３ｂ　補強シャフト
４　上部固定用ネジ
５　下部固定用ネジ
１８　ブラケット
【図１】
2004126456.tif 000003
【図２】
2004126456.tif 000004
【図３】
2004126456.tif 000005
【図４】
2004126456.tif 000006
【図５】
2004126456.tif 000007
【図６】
2004126456.tif 000008
【図７】
2004126456.tif 000009